(57)【要約】【課題】機能の設定情報と、過去の設定情報の履歴とを１つの操作画面上で確認可能な制御装置、画像形成装置およびプログラムを提供する。【解決手段】画像形成装置１００が備える機能の設定情報を表示する第１の表示領域と過去の設定情報の履歴を、設定情報を一意に識別するための設定名を用いて表示する第２の表示領域とを同一の画面内に表示する表示部と、第２の表示領域に表示された設定情報の履歴がユーザにより選択された場合に、当該設定情報を、機能の設定情報として設定する設定部と、を備える。【選択図】図４
2016028528.tif 000002
【特許請求の範囲】
【請求項１】
画像形成装置が備える機能の設定情報を表示する第１の表示領域と過去の設定情報の履歴を、設定情報を一意に識別するための設定名を用いて表示する第２の表示領域とを同一の画面内に表示する表示部と、
前記第２の表示領域に表示された設定情報の履歴がユーザにより選択された場合に、当該設定情報を、前記機能の設定情報として設定する設定部と、
を備える制御装置。
【請求項２】
前記表示部は、前記画面上で、前記機能とは別の機能が選択された場合、前記別の機能に対し設定された設定情報の履歴を前記第２の表示領域に表示し、
前記設定部は、前記第２の表示領域に表示された設定情報の履歴が選択された場合に、当該設定情報を、前記別の機能の設定情報として設定することを特徴とする請求項１に記載の制御装置。
【請求項３】
前記表示部は、前記第１の表示領域に、前記画像形成装置が備える機能ごとの初期設定情報を表示することを特徴とする請求項１又は２に記載の制御装置。
【請求項４】
前記設定情報の履歴を格納する履歴格納部を備え、
前記表示部は、前記履歴格納部に格納された日時、及び同一の設定情報が設定された回数、の少なくともいずれかに基づいて前記設定情報の履歴の表示順序を決定することを特徴とする請求項１から３のいずれか１項に記載の制御装置。
【請求項５】
前記機能がコピー機能の場合、前記表示部は、コピー機能を用いて実行した処理で用いられた設定情報の履歴を表示することを特徴とする請求項１から４のいずれか１項に記載の制御装置。
【請求項６】
前記機能がファクス機能の場合、前記表示部は、過去にファクスを送信した宛先、及び、過去に受信したファクスの送信元の少なくともいずれかを表示することを特徴とする請求項１から４のいずれか１項に記載の制御装置。
【請求項７】
前記機能がスキャン機能の場合、前記表示部は、読み取った原稿を保存した保存先又は送信した宛先を表示することを特徴とする請求項１から４のいずれか１項に記載の制御装置。
【請求項８】
前記表示部は、前記第１の表示領域に表示される設定情報を図柄により表示することを特徴とする請求項１から７のいずれか１項に記載の制御装置。
【請求項９】
前記表示部は、前記第２の表示領域に表示された設定情報の履歴がユーザにより選択された場合に、前記第１の表示領域に表示される設定情報を、選択された設定情報に変更して図柄により表示することを特徴とする請求項１から８のいずれか１項に記載の制御装置。
【請求項１０】
自機が備える機能の設定情報を表示する第１の表示領域と過去の設定情報の履歴を、設定情報を一意に識別するための設定名を用いて表示する第２の表示領域とを同一の画面内に表示する表示装置と、
前記第２の表示領域に表示された設定情報の履歴がユーザにより選択された場合に、当該設定情報を、前記機能の設定情報として設定する設定部を有する制御装置と、
を備えることを特徴とする画像形成装置。
【請求項１１】
コンピュータに、
画像形成装置が備える機能の設定情報を表示する第１の表示領域と過去の設定情報の履歴を、設定情報を一意に識別するための設定名を用いて表示する第２の表示領域とを同一の画面内に表示する表示ステップと、
前記第２の表示領域に表示された設定情報の履歴がユーザにより選択された場合に、当該設定情報を、前記機能の設定情報として設定する設定ステップと、
を実行させるプログラム。
【発明の詳細な説明】
【技術分野】
【０００１】
本発明は、制御装置、画像形成装置およびプログラムに関する。
【背景技術】
【０００２】
近年、画像形成装置の多機能化に伴い、画像形成装置が備える機能の実行時に、操作画面上でユーザから受け付ける設定情報の数が増加している。
【０００３】
特許文献１は、ユーザ毎に操作履歴を記憶する記憶手段と、ユーザが行った画像形成装置に対する操作を検知するための検知手段と、検知された操作を含む操作履歴を記憶された操作履歴の中から抽出する抽出手段と、抽出された操作履歴を表示する表示手段と、表示された操作履歴の中から任意の操作履歴を選択する選択手段と、選択された操作履歴の設定情報を画像形成装置に設定する設定手段とを備える画像形成装置を開示する。
【０００４】
特許文献２は、過去に設定された複数の画像形成の条件を記憶する記憶手段と、記憶手段により記憶された複数の画像形成の条件を同時に表示する表示手段とを備える画像形成装置を開示する。
【先行技術文献】
【特許文献】
【０００５】
【特許文献１】特開２００６−２２０９４０号公報
【特許文献２】特開２０１０−１０９８６５号公報
【発明の概要】
【発明が解決しようとする課題】
【０００６】
本発明は、機能の設定情報と、過去の設定情報の履歴とを１つの操作画面上で確認可能な制御装置、画像形成装置およびプログラムを提供することを目的とする。
【課題を解決するための手段】
【０００７】
請求項１に記載の制御装置は、画像形成装置が備える機能の設定情報を表示する第１の表示領域と過去の設定情報の履歴を、設定情報を一意に識別するための設定名を用いて表示する第２の表示領域とを同一の画面内に表示する表示部と、前記第２の表示領域に表示された設定情報の履歴がユーザにより選択された場合に、当該設定情報を、前記機能の設定情報として設定する設定部と、を備える。
【０００８】
請求項２に記載の制御装置は、請求項１に記載の制御装置において、前記表示部は、前記画面上で、前記機能とは別の機能が選択された場合、前記別の機能に対し設定された設定情報の履歴を前記第２の表示領域に表示し、前記設定部は、前記第２の表示領域に表示された設定情報の履歴が選択された場合に、当該設定情報を、前記別の機能の設定情報として設定することを特徴とする。
【０００９】
請求項３に記載の制御装置は、請求項１又は２に記載の制御装置において、前記表示部は、前記第１の表示領域に、前記画像形成装置が備える機能ごとの初期設定情報を表示することを特徴とする。
【００１０】
請求項４に記載の制御装置は、請求項１から３のいずれか１項に記載の制御装置において、前記設定情報の履歴を格納する履歴格納部を備え、前記表示部は、前記履歴格納部に格納された日時、及び同一の設定情報が設定された回数、の少なくともいずれかに基づいて前記設定情報の履歴の表示順序を決定することを特徴とする。
【００１１】
請求項５に記載の制御装置は、請求項１から４のいずれか１項に記載の制御装置において、前記機能がコピー機能の場合、前記表示部は、コピー機能を用いて実行した処理で用いられた設定情報の履歴を表示することを特徴とする。
【００１２】
請求項６に記載の制御装置は、請求項１から４のいずれか１項に記載の制御装置において、前記機能がファクス機能の場合、前記表示部は、過去にファクスを送信した宛先、及び、過去に受信したファクスの送信元の少なくともいずれかを表示することを特徴とする。
【００１３】
請求項７に記載の制御装置は、請求項１から４のいずれか１項に記載の制御装置において、前記機能がスキャン機能の場合、前記表示部は、読み取った原稿を保存した保存先又は送信した宛先を表示することを特徴とする。
【００１４】
請求項８に記載の制御装置は、請求項１から７のいずれか１項に記載の制御装置において、前記表示部は、前記第１の表示領域に表示される設定情報を図柄により表示することを特徴とする。
請求項９に記載の制御装置は、請求項１から８のいずれか１項に記載の制御装置において、前記表示部は、前記第２の表示領域に表示された設定情報の履歴がユーザにより選択された場合に、前記第１の表示領域に表示される設定情報を、選択された設定情報に変更して図柄により表示することを特徴とする。
【００１５】
請求項１０に記載の画像形成装置は、自機が備える機能の設定情報を表示する第１の表示領域と過去の設定情報の履歴を、設定情報を一意に識別するための設定名を用いて表示する第２の表示領域とを同一の画面内に表示する表示装置と、前記第２の表示領域に表示された設定情報の履歴がユーザにより選択された場合に、当該設定情報を、前記機能の設定情報として設定する設定部を有する制御装置と、を備える。
【００１６】
請求項１１に記載のプログラムは、コンピュータに、画像形成装置が備える機能の設定情報を表示する第１の表示領域と過去の設定情報の履歴を、設定情報を一意に識別するための設定名を用いて表示する第２の表示領域とを同一の画面内に表示する表示ステップと、前記第２の表示領域に表示された設定情報の履歴がユーザにより選択された場合に、当該設定情報を、前記機能の設定情報として設定する設定ステップと、を実行させる。
【発明の効果】
【００１７】
請求項１に記載の制御装置によれば、機能の設定情報と、過去の設定情報の履歴とを１つの操作画面上で確認することができる。
【００１８】
請求項２に記載の制御装置によれば、複数の機能を連続して実行する場合にも、１つの操作画面上で、機能の設定情報と、過去の設定情報の履歴とを確認することができる。
【００１９】
請求項３に記載の制御装置によれば、本構成を有しない場合と比較して、表示された履歴からの設定情報の選択が容易になる。
【００２０】
請求項４に記載の制御装置によれば、本構成を有しない場合と比較して、表示された履歴からの設定情報の選択が容易になる。
【００２１】
請求項５に記載の制御装置によれば、本構成を有しない場合と比較して、過去の処理の再実行が容易になる。
【００２２】
請求項６に記載の制御装置によれば、本構成を有しない場合と比較して、誤った宛先へファクスを送信する可能性が抑制される。
【００２３】
請求項７に記載の制御装置によれば、本構成を有しない場合と比較して、読み取った原稿の再保存、及び再送信が容易になる。
【００２４】
請求項８に記載の制御装置によれば、ユーザは各機能に対して設定されている設定情報を図柄にて把握することができる。
請求項９に記載の制御装置によれば、設定情報の履歴がユーザにより選択された場合であっても、ユーザは変更後の設定情報を図柄により把握することができる。
【００２５】
請求項１０に記載の画像形成装置によれば、機能の設定情報と、過去の設定情報の履歴とを１つの操作画面上で確認することができる。
【００２６】
請求項１１に記載のプログラムによれば、機能の設定情報と、過去の設定情報の履歴とを１つの操作画面上で確認することができる。
【図面の簡単な説明】
【００２７】
【図１】実施形態に係る画像形成装置の構成の一例を示す図である。
【図２】操作・表示部の構成の一例を示す図である。
【図３】制御装置のハードウェア構成の一例を示す図である。
【図４】制御装置が備える機能の一例を示す機能ブロック図である。
【図５】履歴格納部が格納する履歴情報の一例を示す図である。
【図６】制御装置が実行する処理の一例を示すフローチャートである。
【図７】制御装置が実行する処理の一例を示すフローチャートである。
【図８】制御装置が実行する処理の一例を示すフローチャートである。
【図９】図９（Ａ）は、表示装置に表示されるメニュー画面の一例を示す図であり、図９（Ｂ）は、各機能のボタン上に配置されるアイコンの例を示す図である。
【図１０】表示装置に表示される操作画面の一例を示す図である。
【発明を実施するための形態】
【００２８】
以下、本発明の実施形態について、添付図面を参照しつつ説明する。
【００２９】
図１は、実施形態に係る画像形成装置１００の構成の一例を示す図である。画像形成装置１００は、操作・表示部１０、制御装置２０、画像読取装置３０、画像出力装置４０、及び通信装置５０を備える。
【００３０】
操作・表示部１０は、画像形成装置１００に対する指示をユーザから受け付ける。図２に、操作・表示部１０の構成の一例を示す。操作・表示部１０は、表示装置１０１、テンキー１０２、及びスタートボタン１０３を備える。表示装置１０１には、画像形成装置１００に対する操作をユーザから受け付けるための操作画面（メニュー画面等）が表示される。テンキー１０２は、ユーザがコピーを実行する場合にコピー部数を入力したり、ＦＡＸを送信する場合に送信先の電話番号を入力するために使用される。スタートボタン１０３は、ユーザが表示装置１０１に表示されたメニュー画面上で選択した機能の実行を開始するためのボタンである。
【００３１】
操作・表示部１０は、制御装置２０の制御に基づいて、画像形成装置１００に対する操作入力をユーザ（利用者）から受け付けるための操作画面を表示装置１０１に表示する。操作・表示部１０は、操作画面を介して、画像形成装置１００に対する指示をユーザから受け付ける。操作・表示部１０は、表示装置１０１に表示された操作画面、テンキー１０２、及びスタートボタン１０３を介してユーザから受け付けた画像形成装置１００に対する指示を、制御装置２０に出力する。
【００３２】
制御装置２０は、画像形成装置１００の動作全体を制御する。具体的には、制御装置２０は、操作・表示部１０を制御して、表示装置１０１に操作画面を表示させる。また、制御装置２０は、操作・表示部１０から画像形成装置１００に対する指示を受け付ける。
【００３３】
また、制御装置２０は、受け付けた指示に基づいて、画像形成装置１００が備える画像読取装置３０、画像出力装置４０、及び通信装置５０を制御する。例えば、操作・表示部１０から画像の読取（スキャン）指示を受け付けた場合、制御装置２０は、画像読取装置３０を制御して、原稿台に置かれた原稿を読み取り、原稿画像を取得する。また、操作・表示部１０からコピーの指示を受け付けた場合、制御装置２０は、画像読取装置３０を制御して、原稿台に置かれた原稿を読み取り、原稿画像を取得する。そして、制御装置２０は、画像出力装置４０を制御して、取得した原稿画像を紙等の記録媒体に形成し出力する。
【００３４】
また、操作・表示部１０からスキャン（ＰＣ保存）の指示を受け付けた場合、制御装置２０は、画像読取装置３０を制御して、原稿台に置かれた原稿を読み取り、原稿画像を取得する。そして、制御装置２０は、通信装置５０を制御して、取得した原稿画像を不図示の情報処理装置へと保存する。また、操作・表示部１０からＦＡＸ送信の指示を受け付けた場合、制御装置２０は、まず、画像読取装置３０を制御して、原稿台に置かれた送信対象の文書を読み取り、文書画像を取得する。そして、制御装置２０は、通信装置５０を制御して、操作・表示部１０で指定された宛先に取得した文書画像を送信する。
【００３５】
画像読取装置３０は、例えば、スキャナであり、制御装置２０の制御に基づいて、原稿台に置かれた原稿を読み取り、読み取った原稿画像を制御装置２０に出力する。
【００３６】
画像出力装置４０は、制御装置２０の制御に基づいて、紙等の記録媒体上に画像を形成し、出力する。
【００３７】
通信装置５０は、制御装置２０の制御に基づいて、送信対象の文書画像等を、操作・表示部１０でユーザにより指定された宛先に送信する。
【００３８】
次に、制御装置２０のハードウェア構成について説明する。図３は、制御装置２０のハードウェア構成の一例を示す図である。
【００３９】
制御装置２０は、入出力部２０１、ＲＯＭ（Read Only Memory）２０２、ＣＰＵ２０３、ＲＡＭ（Random Access Memory）２０４、及びＨＤＤ（Hard Disk Drive）２０５を備える。
【００４０】
入出力部２０１は、操作・表示部１０、画像読取装置３０、画像出力装置４０、及び通信装置５０とデータの送受信を行う。ＲＯＭ２０２は、実行対象の機能に関連する設定情報の履歴をメニュー画面上に一覧表示するプログラム（詳細については後述する）等を格納する。ＣＰＵ２０３は、ＲＯＭ２０２に格納されたプログラムを読み込んで実行する。ＲＡＭ２０４は、プログラムを実行する際に使用される一時的なデータを保存する。ＨＤＤ２０５は、例えば、画像形成装置１００が備える各機能が実行されたときの設定情報の履歴を格納する。
【００４１】
次に、制御装置２０が備える機能の一例について説明する。図４は、制御装置２０が備える機能の一例を示す機能ブロック図である。制御装置２０は、履歴格納部２１１、取得部２１２、表示制御部２１３、保持部２１４及び実行部２１５を備える。履歴格納部２１１は、例えば、ＨＤＤ２０５である。保持部２１４は、例えば、ＲＡＭ２０４、又はＨＤＤ２０５である。また、取得部２１２、表示制御部２１３、及び実行部２１５は、ＲＯＭ２０２に格納されたプログラムのＣＰＵ２０３による演算によって実現される。
【００４２】
履歴格納部２１１は、画像形成装置１００が備える機能を実行したときに、当該機能の設定項目に関して設定された設定情報を、該機能と関連付けて付けて記録する。すなわち、履歴格納部２１１は、機能実行時の設定情報の履歴（履歴情報）を格納する。ここで、履歴格納部２１１が格納する履歴情報の一例について、図５を参照して説明する。
【００４３】
図５は、履歴格納部２１１が格納する履歴情報の一例を示す図である。本実施形態では、履歴情報は、項目として、「Ｎｏ．」、「機能」、「ユーザＩＤ」、「設定情報」、及び「設定名」を有する。
【００４４】
「Ｎｏ．」の項目には、画像形成装置１００において実行された処理に対して自動的に採番される番号が格納される。「機能」の項目には、「Ｎｏ．」で識別される処理において実行された機能が格納される。「ユーザＩＤ」は、「Ｎｏ．」で識別される処理を実行したユーザを一意に識別するためのＩＤ情報を格納する。
【００４５】
「設定情報」は、「機能」が実行されたときに、画像形成装置１００に対して設定されていた印刷条件や動作条件等の設定情報を格納する。なお、「設定情報」に格納される情報は、「機能」に依存する。例えば、「機能」が“コピー”の場合、「設定情報」には、コピー実行時の設定情報が格納される。具体的には、「カラーモード」設定、「原稿」設定、及び「Ｎｕｐ」設定等の設定情報が格納される。「カラーモード」設定は、カラーコピー／白黒コピーを選択するための設定である。「原稿」設定は、用紙の表面のみに印刷する片面印刷と、用紙の表面と裏面とに印刷する両面印刷とを選択するための設定である。「Ｎｕｐ」設定は、１枚の用紙上に複数ページ（Ｎページ）を並べて印刷するための設定である。
【００４６】
また、例えば、「機能」が“スキャン（ＰＣ保存）”の場合、「設定情報」には、スキャン実行時、及びスキャンした画像をＰＣに保存したときの設定情報が格納される。具体的には、原稿画像読取時に原稿をカラーで読み取るか、白黒で読み取るかを設定する「カラーモード」設定、原稿読取時の解像度を設定する「解像度」設定等の設定情報が格納される。また、読み取った原稿画像を情報処理装置に転送する際の「転送方法」、及び、保存先の情報処理装置を識別するための「保存先」等も設定情報として格納される。また、「機能」が“スキャン（メール送信）”の場合、原稿画像読取時に原稿をカラーで読み取るか、白黒で読み取るかを設定する「カラーモード」設定、原稿読取時の解像度を設定する「解像度」設定等の設定情報が格納される。さらに、読み取った原稿画像を送信する「宛先」が、設定情報として格納される。
【００４７】
また、例えば、「機能」が“ＦＡＸ送信”の場合、「設定情報」には、ＦＡＸ送信時の設定情報が格納される。具体的には、ＦＡＸをカラーで送信するか、白黒で送信するかを設定する「カラーモード」設定、及びＦＡＸの送信先を表す「送信先」が設定情報として格納される。また、さらに、「機能」が“ＦＡＸ受信”の場合、「設定情報」には、ＦＡＸ受信時の設定情報が格納される。具体的には、ＦＡＸをカラーで受信するか、白黒で受信するかを設定する「カラーモード」設定、及び受信したＦＡＸの送信元を表す「送信元」が設定情報として格納される。
【００４８】
「設定名」には、「設定情報」に格納された設定を一意に識別するためにユーザが付した名称が格納される。「設定名」には、例えば、設定情報を容易に推測可能な名称が設定される。例えば、Ｎｏ．４の処理において、コピー機能実行時に設定された設定情報に対しては、「ＩＤカードコピー」という設定名が付されている。ユーザは、例えば、ＩＤカードをコピーする際に使用する設定に対し、「ＩＤカードコピー」という設定名を付す。また、Ｎｏ．８の処理において、コピー機能実行時に設定された設定情報に対しては、「Ａ３→Ａ４」という設定名が付されている。ユーザは、例えば、Ａ３の原稿を、Ａ４の用紙にコピーするための設定に対し、設定名「Ａ３→Ａ４」を付す。なお、「設定名」には、データが入力されていなくてもよい。図５中、「−」は、「設定名」が入力されていないことを表す。
【００４９】
図５において、例えば、Ｎｏ．１の処理では、コピー機能が、ユーザＩＤ「Ａ００１」のユーザによって実行されている。そして、Ｎｏ．１の処理で実行されたコピーは、白黒の両面コピーであり、１枚の用紙上に２ページを印刷している。
【００５０】
また、例えば、Ｎｏ．２の処理では、スキャン（ＰＣ保存）機能が、ユーザＩＤ「Ｃ００１」のユーザによって実行さている。そして、Ｎｏ．２の処理では、解像度６００［ｄｐｉ］、白黒で読み取った原稿画像を、ＳＭＢ（Server Message Block）転送プロトコルを用いて、ＩＰアドレス“ＸＸＸ．ＹＹ．Ｘ．Ｘ．Ｘ”で表される情報処理装置に保存している。
【００５１】
また、例えば、Ｎｏ．４の処理では、ＦＡＸ送信機能が、ユーザＩＤ「Ａ００１」のユーザによって実行されている。そして、白黒の画像を、電話番号“ＸＸ−ＸＸＸＸ−ＸＸＸＸ”で表される送信先に送信している。
【００５２】
上述のように、履歴格納部２１１は、画像形成装置１００において実行された機能と、該機能が実行されたときの設定情報とを関連付けて履歴情報として格納する。
【００５３】
図４に戻り説明を続ける。取得部２１２は、操作・表示部１０に表示されたメニュー画面上でユーザが選択した機能を取得する。なお、メニュー画面とは、画像形成装置１００が備える複数の機能を表示し、実行対象となる機能の選択をユーザから受け付けるための画面である。
【００５４】
取得部２１２は、ユーザが選択した機能を過去に実行したときの設定情報の履歴を履歴格納部２１１から取得する。例えば、ユーザＩＤ「Ａ００１」のユーザがメニュー画面上で、「コピー機能」を選択したとする。この場合、取得部２１２は、図５で示した履歴情報において、「ユーザＩＤ」に“Ａ００１”、「機能」に“コピー”が格納されている、Ｎｏ．１、Ｎｏ．３、及びＮｏ．８の履歴情報を履歴格納部２１１から取得する。取得部２１２は、取得した履歴情報を表示制御部２１３に出力する。
【００５５】
表示制御部２１３は、取得部２１２から履歴情報を受け付ける。表示制御部２１３は、履歴情報に含まれる設定情報の一部、又は全部を表示装置１０１に表示されているメニュー画面上に一覧表示させる。ユーザは、メニュー画面に表示された設定情報の中から、いずれの設定情報を使用するかを選択する。
【００５６】
保持部２１４は、メニュー画面上において複数の機能が選択された場合、ユーザにより選択された機能、及び、該機能の設定情報を実行部２１５から受け付け、一時的に保持する。
【００５７】
実行部２１５は、メニュー画面上においてユーザにより選択された機能、及び、該機能の設定情報を、操作・表示部１０から受け付ける。実行部２１５は、メニュー画面上において１つの機能のみが選択され、操作・表示部１０においてスタートボタン１０３が押された場合、画像読取装置３０、画像出力装置４０及び通信装置５０を制御し、選択された機能を、選択された設定情報を用いて実行する。実行部２１５は、メニュー画面上において複数の機能が選択された場合、ユーザにより選択された機能、及び、設定情報を保持部２１４に一時的に格納する。そして、操作・表示部１０においてスタートボタン１０３が押された場合、ユーザにより選択された機能及び設定情報を保持部２１４から取得する。そして、実行部２１５は、画像読取装置３０、画像出力装置４０及び通信装置５０を制御して、保持部２１４から取得した機能を、取得した設定情報に基づいて実行する。
【００５８】
次に、制御装置２０が実行する処理の一例について、メニュー画面例を交えながら説明する。図６〜図８は、制御装置２０が実行する処理の一例を示すフローチャートである。
【００５９】
まず、表示制御部２１３は、図９（Ａ）に示すメニュー画面を表示装置１０１に表示させる。図９（Ａ）は、表示装置１０１に表示されるメニュー画面の一例を示す図である。図９（Ａ）に示すメニュー画面は、２つの表示領域を有している。図９（Ａ）において、表示領域Ａには、画像形成装置１００が備える機能の選択を受付けるボタンが機能毎に配置され、表示領域Ｂには、画像形成装置１００の設定に関するボタン（ユーティリティボタン）が配置されている。
【００６０】
表示領域Ａでは、各機能の選択を受け付けるボタン上に、各機能の設定情報がアイコン（図９（Ａ）中、ＩＣＯＮと表示）を用いて表示されている。ユーザの操作を受け付けていない状態では、各機能の初期設定情報がアイコンを用いて表示される。ユーザが初期設定のままで各機能を実行したい場合には、実行したい機能を選択しスタートボタン１０３を押すことで、初期設定を用いて各機能が実行される。次に、ボタン上に配置されるアイコンの例を図９（Ｂ）に示す。
【００６１】
図９（Ａ）中の“ＩＣＯＮ”には、例えば、図９（Ｂ）に示すアイコンが配置される。例えば、図９（Ｂ−１）は、原稿の縮小・拡大に関する設定を表すアイコンであり、縮小・拡大倍率が１００％（等倍）であることを表している。図９（Ｂ−２）は、コピー時に用紙が給紙されるトレイを表すアイコンであり、トレイ１から用紙が給紙されることを表している。図９（Ｂ−３）は、コピー時の印刷濃度、スキャン時の読み取り濃度を表すアイコンであり、濃度に「普通」が設定されていることを表している。図９（Ｂ−４）は、「カラーモード」設定を表すアイコンであり、「カラーモード」としてフルカラーが選択されていることを表している。図９（Ｂ−５）は、「原稿」設定を表すアイコンであり、コピー時に用紙の両面にコピーをする「両面コピー」が設定されていることを表している。図９（Ｂ−６）は、「Ｎｕｐ」設定を表すアイコンであり、１枚の用紙上に２ページを並べて印刷する「２アップ」が選択されていることを表している。図９（Ｂ−７）は、コピーや印刷が終了した後の「後処理」に関する設定を表すアイコンであり、コピー後の用紙の左上をホチキスで留める設定を表している。図９（Ｂ−８）は、コピー部数や印刷部数を表すアイコンであり、コピー部数として１部が設定されていることを表している。なお、コピー部数は、テンキー１０２で変更可能である。
【００６２】
上述のようなアイコンを、各機能のボタン上に表示することにより、各機能の設定情報がユーザにより確認される。
【００６３】
図６に戻り説明を続ける。次に、表示制御部２１３は、ユーザによりコピー機能が選択されたか否かを判定する（ステップＳ１３）。コピー機能が選択された場合（ステップＳ１３／ＹＥＳ）、表示制御部２１３は、メニュー画面上のコピーボタンをＯＮする（ステップＳ１５）。具体的には、メニュー画面上において、図１０（Ａ）に示すように、コピーが選択されたことをユーザが識別できるよう、コピーボタンの表示形式を変更する。図１０（Ａ）の例では、表示制御部２１３は、コピー機能のチェックボックスにチェックマークを表示するとともに、コピー機能ボタンを他のボタンと異なる表示形式で表示する（例えば、明るく表示する、濃く表示する）。
【００６４】
次に、実行部２１５は、コピー機能が選択される前に、他の機能（例えば、スキャン機能やファクス機能）が選択されているか否かを判定する（ステップＳ１７）。他の機能が選択されているか否かは、例えば、他の機能のチェックボックスがチェックされているか否かによって判定してもよい。図１０（Ａ）の例では、コピー機能ボタン以外のボタンのチェックボックスがチェックされていないため、コピー機能が選択される前に、他の機能は選択されていないと判定される。
【００６５】
コピー機能が選択される前に、他の機能が選択されている場合（ステップＳ１７／ＹＥＳ）、実行部２１５は、選択されている他の機能と、他の機能に対して設定された設定情報とを保持部２１４に退避する（ステップＳ１９）。
【００６６】
コピー機能が選択される前に、他の機能が選択されていない場合（ステップＳ１７／ＮＯ）、又は、ステップＳ１９の後、実行部２１５は、コピー機能の初期設定情報を取得する（ステップＳ２１）。
【００６７】
次に、取得部２１２が、コピー機能の履歴情報を履歴格納部２１１から取得し、表示制御部２１３が、履歴情報に含まれる設定情報をメニュー画面上に一覧表示する（ステップＳ２３）。具体的には、図１０（Ａ）に示すように、表示制御部２１３は、コピー実行時に設定された設定情報の履歴を、表示領域Ｂに一覧表示する。このとき、表示制御部２１３は、履歴に含まれる全ての設定情報を表示してもよいし、設定情報の一部を表示してもよい。設定情報のいずれを表示するかは、ユーザ毎に予め決定しておいてもよいし、あるいは、画像形成装置１００の管理者が初期設定として設定しておいてもよい。また、設定情報に対して「設定名」が付されている場合には、表示制御部２１３は、設定名を表示してもよい。図１０（Ａ）の例では、設定情報の代わりに、「Ａ３→Ａ４」及び「ＩＤカードコピー」の設定名が表示されている。
【００６８】
次に、実行部２１５は、スタートボタン１０３が押されたか否か判定する（ステップＳ２５）。スタートボタン１０３が押された場合（ステップＳ２５／ＹＥＳ）、実行部２１５は、保持部２１４にデータが存在するか否か判定する（ステップＳ２７）。保持部２１４にデータが存在するとは、コピー機能が選択される前に、他の機能が選択されていたことを意味する。したがって、保持部２１４にデータが存在する場合（ステップＳ２７／ＹＥＳ）、実行部２１５は、保持部２１４からデータを取得する（ステップＳ２９）。そして、実行部２１５は、保持部２１４に保持されていた機能を、保持されていた設定情報を用いて実行する（ステップＳ３１）。次に、実行部２１５は、コピーを初期設定にて実行し（ステップＳ３３）、本処理を終了する。
【００６９】
保持部２１４にデータが存在しない場合（ステップＳ２７／ＮＯ）、実行部２１５は、初期設定にてコピーを実行し（ステップＳ３５）、本処理を終了する。
【００７０】
スタートボタン１０３が押されていない場合（ステップＳ２５／ＮＯ）、実行部２１５は、履歴のいずれかがユーザによって選択されたか否か判定する（ステップＳ３７）。履歴のいずれかがユーザによって選択された場合（ステップＳ３７／ＹＥＳ）、実行部２１５は、選択された履歴に含まれる設定情報をコピー機能の実行時の設定情報として設定する（ステップＳ３９）。このとき、表示制御部２１３は、メニュー画面上のコピー機能ボタン内に配置されるアイコンを設定情報にあわせて変更してもよい。
【００７１】
次に、実行部２１５は、スタートボタン１０３が押されたか否か判定する（ステップＳ４１）。スタートボタン１０３が押された場合（ステップＳ４１／ＹＥＳ）、実行部２１５は、保持部２１４にデータが存在するか否か判定する（ステップＳ４３）。保持部２１４にデータが存在する場合（ステップＳ４３／ＹＥＳ）、実行部２１５は、保持部２１４からデータを取得する（ステップＳ４５）。そして、実行部２１５は、保持部２１４に保持されていた機能を、保持されていた設定情報を用いて実行する（ステップＳ４７）。次に、実行部２１５は、ステップＳ３９で設定した、履歴に基づく設定情報を用いて、コピーを実行し（ステップＳ４９）、本処理を終了する。
【００７２】
保持部２１４にデータが存在しない場合（ステップＳ４３／ＮＯ）実行部２１５は、ステップＳ３９で設定した、履歴に基づく設定情報を用いて、コピーを実行し（ステップＳ５１）、本処理を終了する。
【００７３】
ステップＳ３７において履歴のいずれかがユーザによって選択されていない場合（ステップＳ３７／ＮＯ）、又は、ステップＳ４１においてスタートボタン１０３が押されていない場合（ステップＳ４１／ＮＯ）、表示制御部２１３は、コピー機能が再度選択されたか否か判定する（ステップＳ５３）。
【００７４】
コピー機能が再度選択されていない場合（ステップＳ５３／ＮＯ）、ステップＳ１３からの処理が実行される。コピー機能が再度選択された場合（ステップＳ５３／ＹＥＳ）、表示制御部２１３は、コピー条件の設定画面を表示装置１０１に表示する（ステップＳ５５）。その後は、コピー条件の設定をユーザから受付け、スタートボタン１０３が押されればコピー機能を実行するという通常通りの処理が画像形成装置１００において実行され（ステップＳ５７）、本処理は終了する。
【００７５】
コピー機能が選択されなかった場合（ステップＳ１３／ＮＯ）、表示制御部２１３は、ファクス機能が選択されたか否か判定する（図７：ステップＳ６１）。ファクス機能が選択された場合（ステップＳ６１／ＹＥＳ）、表示制御部２１３は、ファクスボタンをＯＮにする（ステップＳ６３）。具体的には、メニュー画面上において、図１０（Ｂ）に示すように、ファクス機能が選択されたことをユーザが識別できるよう、ファクスボタンの表示形式を変更する。
【００７６】
次に、実行部２１５は、ファクス機能が選択される前に、他の機能（例えば、コピー機能やスキャン機能）が選択されているか否かを判定する（ステップＳ６５）。ファクス機能が選択される前に、他の機能が選択されている場合（ステップＳ６５／ＹＥＳ）、実行部２１５は、選択されている他の機能と、他の機能に対して設定された設定情報とを、保持部２１４に退避させる（ステップＳ６７）。図１０（Ｂ）の例では、ファクス機能が選択される前に、既にコピー機能が選択されている。したがって、実行部２１５は、コピー機能の設定情報を、保持部２１４に退避する。
【００７７】
ファクス機能が選択される前に、他の機能が選択されていない場合（ステップＳ６５／ＮＯ）、又は、ステップＳ６７の後、実行部２１５は、ファクス機能の初期設定情報を取得する（ステップＳ６９）。ファクス機能の初期設定情報には、例えば、カラーモード、濃度、送信画質、及び原稿の画質等が含まれる。
【００７８】
次に、取得部２１２が、ファクス機能を実行したときの設定情報の履歴を履歴格納部２１１から取得し、表示制御部２１３が、履歴に含まれる送信先及び送信元情報をメニュー画面上に一覧表示する（ステップＳ７１）。具体的には、図１０（Ｂ）に示すように、表示制御部２１３は、ファクスの送信時に設定された送信先及び受信したファクスの送信元の履歴を、表示領域Ｂに表示する。図１０（Ｂ）では、「送信」のタブが選択されると、ファクス送信時の送信先の履歴が表示され、「受信」のタブが選択されると、受信したファクスの送信元の履歴が表示される。
【００７９】
次に、実行部２１５は、ファクス番号がテンキー１０２を用いて入力され、スタートボタン１０３が押されたか否か判定する（ステップＳ７３）。ファクス番号が入力され、スタートボタン１０３が押された場合（ステップＳ７３／ＹＥＳ）、実行部２１５は、保持部２１４にデータが存在するか否か判定する（ステップＳ７５）。保持部２１４にデータが存在するとは、ファクス機能が選択される前に、他の機能が選択されていたことを意味する。したがって、保持部２１４にデータが存在する場合（ステップＳ７５／ＹＥＳ）、実行部２１５は、保持部２１４からデータを取得する（ステップＳ７７）。そして、実行部２１５は、保持部２１４に保持されていた機能を、保持されていた設定情報を用いて実行する（ステップＳ７９）。次に、実行部２１５は、初期設定情報を用いて、ステップＳ７３で入力されたファクス番号にファクスを送信し（ステップＳ８１）、本処理を終了する。
【００８０】
保持部２１４にデータが存在しない場合（ステップＳ７５／ＮＯ）、実行部２１５は、初期設定情報を用いて、ステップＳ７３で入力されたファクス番号にファクスを送信し（ステップＳ８３）、本処理を終了する。
【００８１】
ファクス番号がテンキー１０２を用いて入力されておらず、また、スタートボタン１０３が押されていない場合（ステップＳ７３／ＮＯ）、実行部２１５は、ステップＳ７１において履歴として表示した送信先及び送信元のいずれかがユーザによって選択されたか否か判定する（ステップＳ８５）。送信先又は送信元のいずれかがユーザによって選択された場合（ステップＳ８５／ＹＥＳ）、実行部２１５は、選択されたファクス番号をファクス送信時の送信先として設定する（ステップＳ８７）。このとき、表示制御部２１３は、メニュー画面上の上部１０５に、宛先名及びファクス番号を表示してもよい。
【００８２】
次に、実行部２１５は、スタートボタン１０３が押されたか否か判定する（ステップＳ８９）。スタートボタン１０３が押された場合（ステップＳ８９／ＹＥＳ）、実行部２１５は、保持部２１４にデータが存在するか否か判定する（ステップＳ９１）。保持部２１４にデータが存在する場合（ステップＳ９１／ＹＥＳ）、実行部２１５は、保持部２１４からデータを取得する（ステップＳ９３）。そして、実行部２１５は、保持部２１４に保持されていた機能を、保持されていた設定情報を用いて実行する（ステップＳ９５）。次に、実行部２１５は、ステップＳ８７で選択されたファクス番号に、ファクスを送信し（ステップＳ９７）、本処理を終了する。
【００８３】
保持部２１４にデータが存在しない場合（ステップＳ９１／ＮＯ）、実行部２１５は、ステップＳ８７で選択されたファクス番号にファクスを送信し（ステップＳ９９）、本処理を終了する。
【００８４】
ステップＳ８５において送信先又は送信元のいずれもユーザによって選択されていない場合（ステップＳ８５／ＮＯ）、又は、ステップＳ８９においてスタートボタン１０３が押されていない場合（ステップＳ８９／ＮＯ）、表示制御部２１３は、ファクス機能が再度選択されたか否か判定する（ステップＳ１０１）。
【００８５】
ファクス機能が再度選択されていない場合（ステップＳ１０１／ＮＯ）、図６のステップＳ１３からの処理が実行される。ファクス機能が再度選択された場合（ステップＳ１０１／ＹＥＳ）、表示制御部２１３は、ファクス条件の設定画面を表示装置１０１に表示する（ステップＳ１０３）。その後は、ファクス条件の設定をユーザから受付け、スタートボタン１０３が押されればファクス送信を開始するという通常通りの処理が画像形成装置１００において実行され（ステップＳ１０５）、本処理は終了する。
【００８６】
ファクス機能が選択されなかった場合（ステップＳ６１／ＮＯ）、表示制御部２１３は、スキャン（メール送信）機能が選択されたか否か判定する（図８：ステップＳ１１１）。なお、スキャン（メール送信）機能とは、原稿台に置かれた原稿を読み取り（スキャンし）、読み取った原稿画像を指定された宛先にメール送信する機能をいう。
【００８７】
スキャン（メール送信）機能が選択された場合（ステップＳ１１１／ＹＥＳ）、表示制御部２１３は、スキャン（メール送信）ボタンをＯＮにする（ステップＳ１１３）。具体的には、メニュー画面上において、図１０（Ｃ）に示すように、スキャン（メール送信）が選択されたことをユーザが識別できるよう、スキャン（メール送信）ボタンの表示形式を変更する。
【００８８】
次に、実行部２１５は、スキャン（メール送信）機能が選択される前に、他の機能（例えば、コピー機能やファクス機能）が選択されているか否かを判定する（ステップＳ１１５）。スキャン（メール送信）機能が選択される前に、他の機能が選択されている場合（ステップＳ１１５／ＹＥＳ）、実行部２１５は、選択されている他の機能と、他の機能に対して設定された設定情報とを保持部２１４に退避させる（ステップＳ１１７）。図１０（Ｃ）の例では、スキャン（メール送信）機能が選択される前に、既にコピー機能と、ファクス機能とがこの順に選択されている。ここで、コピー機能の設定情報については、ファクス機能に対する設定が行われた際に、既に保持部２１４へと退避されている。したがって、この場合、実行部２１５は、ファクス機能の設定情報を保持部２１４に退避する。
【００８９】
スキャン（メール送信）機能が選択される前に、他の機能が選択されていない場合（ステップＳ１１５／ＮＯ）、実行部２１５は、スキャン（メール送信）機能の初期設定情報を取得する（ステップＳ１１９）。スキャン（メール送信）機能の初期設定情報には、例えば、カラーモード、原稿の画質、及び出力ファイルの形式等が含まれる。
【００９０】
次に、取得部２１２が、スキャン（メール送信）機能を実行したときの設定情報の履歴を履歴格納部２１１から取得し、表示制御部２１３が、履歴に含まれる宛先（メールアドレス）をメニュー画面上に一覧表示する（ステップＳ１２１）。具体的には、図１０（Ｃ）に示すように、表示制御部２１３は、スキャンした原稿のメール送信時に設定されたメールアドレスの履歴を、表示領域Ｂに表示する。なお、図１０（Ｃ）において「キーボード」のボタンが選択された場合には、表示制御部２１３は、ユーザからメールアドレスのマニュアル入力を受け付ける。
【００９１】
次に、実行部２１５は、メールアドレスがユーザによりマニュアル入力され、スタートボタン１０３が押されたか否か判定する（ステップＳ１２３）。メールアドレスがユーザによりマニュアル入力され、スタートボタン１０３が押された場合（ステップＳ１２３／ＹＥＳ）、実行部２１５は、保持部２１４にデータが存在するか否か判定する（ステップＳ１２５）。保持部２１４にデータが存在するとは、スキャン（メール送信）機能が選択される前に、他の機能が選択されていたことを意味する。したがって、保持部２１４にデータが存在する場合（ステップＳ１２５／ＹＥＳ）、実行部２１５は、保持部２１４からデータを取得する（ステップＳ１２７）。そして、実行部２１５は、保持部２１４に保持されている設定情報を用いて、各機能を実行する（ステップＳ１２９）。例えば、保持部２１４にコピー機能とファクス機能に対する設定情報が保持されていた場合、実行部２１５は、保持部２１４に保持されている設定情報を用いて、コピー及びファクスを順に実行する。
【００９２】
次に、実行部２１５は、初期設定情報を用いて、ステップＳ１２３で入力されたメールアドレスにスキャンした原稿を送信し（ステップＳ１３１）、本処理を終了する。
【００９３】
保持部２１４にデータが存在しない場合（ステップＳ１２５／ＮＯ）、実行部２１５は、初期設定情報を用いて、ステップＳ１２３で入力されたメールアドレスにスキャンした原稿を送信し（ステップＳ１３３）、本処理を終了する。
【００９４】
メールアドレスがユーザによりマニュアル入力されず、また、スタートボタン１０３も押されていない場合（ステップＳ１２３／ＮＯ）、実行部２１５は、ステップＳ１２１において履歴として表示したメールアドレスいずれかがユーザによって選択されたか否か判定する（ステップＳ１３５）。メールアドレスのいずれかがユーザによって選択された場合（ステップＳ１３５／ＹＥＳ）、実行部２１５は、選択されたメールアドレスを、メール送信時の宛先として設定する（ステップＳ１３７）。このとき、表示制御部２１３は、メニュー画面上の上部１０５に、宛先名及びメールアドレスを表示してもよい。
【００９５】
次に、実行部２１５は、スタートボタン１０３が押されたか否か判定する（ステップＳ１３９）。スタートボタン１０３が押された場合（ステップＳ１３９／ＹＥＳ）、実行部２１５は、保持部２１４にデータが存在するか否か判定する（ステップＳ１４１）。保持部２１４にデータが存在する場合（ステップＳ１４１／ＹＥＳ）、実行部２１５は、保持部２１４からデータを取得する（ステップＳ１４３）。そして、ステップＳ１２９の処理と同様に、実行部２１５は、保持部２１４に保持されていた設定情報を用いて、各機能を実行する（ステップＳ１４５）。次に、実行部２１５は、ステップＳ１３７で選択されたメールアドレスに、スキャンした原稿を送信し（ステップＳ１４７）、本処理を終了する。
【００９６】
保持部２１４にデータが存在しない場合（ステップＳ１４１／ＮＯ）、実行部２１５は、ステップＳ１３７で設定したメールアドレスにスキャンした原稿を送信し（ステップＳ１４９）、本処理を終了する。
【００９７】
ステップＳ１３５において表示領域Ｂに表示されたメールアドレスのいずれもユーザによって選択されていない場合（ステップＳ１３５／ＮＯ）、又は、ステップＳ１３９においてスタートボタン１０３が押されていない場合（ステップＳ１３９／ＮＯ）、表示制御部２１３は、スキャン（メール送信）機能が再度選択されたか否か判定する（ステップＳ１５１）。
【００９８】
スキャン（メール送信）機能が再度選択されなかった場合（ステップＳ１５１／ＮＯ）、図６のステップＳ１３からの処理が実行される。スキャン（メール送信）機能が再度選択された場合（ステップＳ１５１／ＹＥＳ）、表示制御部２１３は、スキャン（メール送信）条件の設定画面を表示装置１０１に表示する（ステップＳ１５３）。その後は、スキャン（メール送信）条件の設定をユーザから受付け、スタートボタン１０３が押されればスキャン及びメールの送信を開始するという通常通りの処理が画像形成装置１００において実行され（ステップＳ１５５）、本処理は終了する。
【００９９】
以上の説明からも明らかなように、上記の実施形態によれば、履歴格納部２１１は、画像形成装置１００が備える機能を実行したときの設定情報の履歴を格納し、取得部２１２は、メニュー画面においてユーザにより選択された機能を実行したときの設定情報の履歴を履歴格納部２１１から取得する。そして、表示制御部２１３は、メニュー画面上において、履歴格納部２１１から取得した設定情報の履歴を、各機能の選択を受け付けるボタンが配置される表示領域Ａとは別の表示領域Ｂに一覧表示させる。実行部２１５は、メニュー画面上に表示された設定情報の履歴の中からユーザにより選択された履歴の設定情報を用いて、選択された機能を実行する。本構成によれば、機能の選択と選択した機能に対する設定情報の設定とが、同一のメニュー画面上において、ユーザにより行われる。また、設定情報の履歴は、各機能の選択を受け付けるボタンが配置される表示領域Ａとは別の表示領域である表示領域Ｂに一覧表示される。したがって、上述の実施形態では、例えば、特許文献１及び２のように、機能の選択画面と設定画面（操作履歴の選択画面）とを行き来して、設定情報を入力する必要がない。つまり、機能の選択から設定情報の入力まで、機能の実行に係る一連の操作が同一のメニュー画面においてユーザから受け付けられる。
【０１００】
また、表示領域Ａにおいて、複数の機能が選択された場合には、保持部２１４が各機能と、各機能に対し設定された設定情報を保持する。そして、取得部２１２は、メニュー画面上で、他の機能が選択された場合、該機能を実行したときの設定情報を履歴格納部２１１から取得し、表示制御部２１３は、取得した他の機能を実行したときの設定情報の履歴をメニュー画面上に一覧表示する。実行部２１５は、保持部２１４に保持された機能を、保持された設定情報を用いて実行した後、メニュー画面上で選択された設定情報を用いて他の機能を実行する。これにより、複数の機能を連続して実行する場合にも、機能の選択から設定情報の入力まで、機能の実行に係る一連の操作が同一のメニュー画面においてユーザから受け付けられる。また、表示領域Ａにおいて、各機能が選択され、表示領域Ｂに選択された各機能に対する設定情報の履歴が表示されるため、複数の機能に対する設定を連続して行う場合でも、機能の選択画面と設定画面とを行き来する必要が無い。
【０１０１】
また、上述の実施形態では、機能ごとの初期設定情報がアイコンを用いて表示されていた。ここで、表示制御部２１３は、設定情報の履歴を一覧表示する場合に、初期設定情報とは異なる設定情報を有する履歴のみをメニュー画面上に一覧表示してもよい。これにより、初期設定情報がユーザによって容易に確認されるとともに、初期設定情報と同じ履歴は一覧表示されないため、一覧表示される履歴の数が減少し、一覧表示された履歴からの設定情報の選択が容易になる。
【０１０２】
また、上記実施形態において、履歴格納部２１１は、設定情報を一意に識別するための設定名を格納し、表示制御部２１３は、履歴を一覧表示する場合に、メニュー画面上に設定名を表示していた。「設定名」によって、設定情報の内容が推測されるため、一覧表示された履歴からの設定情報の選択が容易になる。
【０１０３】
また、上述の実施形態において、メニュー画面において、コピー機能が選択された場合、表示制御部２１３は、コピー機能を用いて実行した処理で用いられた設定情報の履歴を表示していた。これにより、ユーザは、過去に実行した処理を再実行したい場合には、該当する履歴を選択すればよいため、過去の処理の再実行が容易になる。
【０１０４】
また、メニュー画面において、ファクス機能が選択された場合、表示制御部２１３は、過去にファクスを送信した宛先、及び、過去に受信したファクスの送信元の少なくともいずれかを表示していた。過去にファクスを送信した宛先から送信先を選択することで、一度ファクスを送信したことがある宛先に対して、ファクスが送信される。また、過去に受信したファクスの送信元の中から送信先を選択することで、ファクスの送信元への返信が容易になる。さらに、送信又は受信に成功した送信先／送信元のみを表示することで、誤った宛先へファクスを送信する可能性が抑制される。
【０１０５】
また、メニュー画面において、スキャン機能が選択された場合、表示制御部２１３は、読み取った原稿を保存した保存先又は送信した宛先を表示する。したがって、読み取った原稿の再保存、及び再送信が容易になる。
【０１０６】
上述した実施の形態は、本発明の実施形態の一部である。但し、これに限定されるものではなく、本発明の要旨を逸脱しない範囲内において種々変形実施可能である。
【０１０７】
なお、上述の実施形態において、表示領域Ｂに表示される履歴の表示順序は特に限定されていないが、表示制御部２１３は、履歴情報が履歴格納部２１１に格納された日時、及び同一の設定情報が設定された回数、の少なくとも１つに基づいて設定情報の履歴の表示順序を決定してもよい。この場合、履歴格納部２１１は、各機能が実行された日時の情報を格納する。これにより、例えば、最近実行した処理で用いた設定情報や、使用回数が多い設定情報が上から順に表示されるため、設定情報の選択が容易になる。なお、表示順序の決定方法は、上記方法に限定されるわけではない。
【０１０８】
また、上述の実施形態の画像形成装置１００は、ユーザＩＤによる管理を行っていたが、本発明を、ユーザＩＤによる管理を行っていない画像形成装置１００に適用してもよい。この場合、履歴格納部２１１は、ユーザＩＤの情報を格納せず、メニュー画面上において選択された機能が「機能」の項目に格納されている履歴情報を表示制御部２１３に出力する。
【０１０９】
また、上述の実施形態において、表示領域Ａと表示領域Ｂとは、メニュー画面を垂直方向に分割するように配置されていたが、表示領域Ａ及びＢは、水平方向にメニュー画面を分割するよう配置されていてもよい。メニュー画面上における表示領域Ａ及び表示領域Ｂの配置は、上記の実施形態に限定されるものではない。
【０１１０】
なお、上記の制御装置２０が有する機能は、ＣＰＵ、ＲＯＭ、ＲＡＭ等を備えるコンピュータによって実現することができる。その場合、制御装置２０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。
【０１１１】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１１２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【符号の説明】
【０１１３】
１０…操作・表示部
２０…制御装置
１００…画像形成装置
２１１…履歴格納部
２１２…取得部
２１３…表示制御部
２１４…保持部
２１５…実行部
【図１】
2016028528.tif 000003
【図２】
2016028528.tif 000004
【図３】
2016028528.tif 000005
【図４】
2016028528.tif 000006
【図５】
2016028528.tif 000007
【図６】
2016028528.tif 000008
【図７】
2016028528.tif 000009
【図８】
2016028528.tif 000010
【図９】
2016028528.tif 000011
【図１０】
2016028528.tif 000012